(57)【要約】【課題】空調設備を利用した非常用バッテリ冷却装置であって、空調設備の運転に大きな影響を与えることなく非常用バッテリを適切に冷却可能な非常用バッテリ冷却装置を提供する。【解決手段】非常用バッテリ冷却装置１は、空調設備２０の低圧冷媒を利用して非常用バッテリ２を冷却する冷却装置であり、１面を非常用バッテリ２に密着させ該非常用バッテリ２を冷却する伝熱板３と、該伝熱板３の他面に配設され前記伝熱板３を冷却する低圧冷媒が流れる伝熱管４と、室内熱交換器２２と圧縮機２１との間に取り付けられた低圧冷媒管２５を分岐させ一部の低圧冷媒を前記伝熱管４に供給する抜出し管５と、前記伝熱管４を出た低圧冷媒を前記低圧冷媒管２５の前記抜出し管５が取り付けられた位置の下流に戻す戻り管６と、を具備する。【選択図】図１
2010089555.tif 000002
【特許請求の範囲】
【請求項１】
通信を行なうための電子機器と、電子機器に電力を供給する電源設備と、電子機器を冷却する、冷媒を圧縮する圧縮機、圧縮された高圧冷媒を冷却する室外熱交換器、該室外熱交換器の下流側の高圧冷媒を減圧し低圧冷媒にする減圧手段、該低圧冷媒から冷却用の冷熱を取り出す室内熱交換器を含む蒸気圧縮式冷凍サイクルからなる空調設備と、非常時の電力を供給する非常用バッテリと、が建屋内に収納された無線基地局の非常用バッテリ冷却装置であって、
１面を非常用バッテリに密着させ該非常用バッテリを冷却する伝熱板と、
該伝熱板の他面に配設され前記伝熱板を冷却する低圧冷媒が流れる伝熱管と、
前記室内熱交換器と前記圧縮機との間に取り付けられた低圧冷媒管を分岐させ一部の低圧冷媒を前記伝熱管に供給する抜出し管と、
前記伝熱管を出た低圧冷媒を前記低圧冷媒管の前記抜出し管が取り付けられた位置の下流に戻す戻り管と、
を具備することを特徴とする非常用バッテリ冷却装置。
【請求項２】
前記伝熱管、前記抜出し管及び前記戻り管は一体的に形成された、前記室内熱交換器と前記圧縮機との間に取り付けられた低圧冷媒管のバイパス管であり、前記伝熱板は、１面を非常用バッテリに密着させると共に、他面を前記バイパス管に密着させることを特徴とする請求項１に記載の非常用バッテリ冷却装置。
【請求項３】
前記伝熱管又は前記バイパス管は、溶着又は接着テープで前記伝熱板に密着し、前記伝熱板は、前記非常用バッテリの底面、側面及び上面の少なくともいずれか１面に密着していることを特徴とする請求項１又は請求項２に記載の非常用バッテリ冷却装置。
【請求項４】
前記伝熱管、前記バイパス管、前記伝熱板及び前記接着テープは、伝熱性能が高いアルミニウム又は銅を主成分とする材料からなることを特徴とする請求項１から請求項３のいずれか１項に記載の非常用バッテリ冷却装置。
【請求項５】
さらに前記非常用バッテリの温度を検出する温度検出手段と、
前記伝熱管又は前記バイパス管を流通する低圧冷媒の流量を調整する自動弁と、
前記温度検出手段からの信号を取り込み、前記非常用バッテリの温度を所定の温度とするよう前記自動弁に弁開度信号を出力する制御装置と、
を具備することを特徴とする請求項１から請求項４のいずれか１項に記載の非常用バッテリ冷却装置。
【発明の詳細な説明】
【技術分野】
【０００１】
本発明は、無線基地局に備えられる非常時の電力を供給する非常用バッテリを冷却する非常用バッテリ冷却装置に関する。
【背景技術】
【０００２】
無線基地局は、携帯電話等の移動体通信端末の送受信信号を増幅する等により、電波の不感知領域を無くすことを主目的としており、送受信信号を増幅する無線通信機等からなる電子機器と、商用の交流電流を直流電流に変えて電子機器に供給する整流器等からなる電源設備と、電子機器を冷却する蒸気圧縮式冷凍サイクルからなる空調設備と、停電等の非常時に電力を供給する非常用バッテリと、が建屋内に収納されている。また建屋外にはアンテナが取り付けられている。
【０００３】
非常用バッテリは、停電等の非常時に電子機器に電力を供給する非常用電源で鉛蓄電池が多く用いられている。非常用バッテリは、充放電、過充電、また外気温度の上昇などにより温度が上昇する。非常用バッテリが高温になると腐食等により寿命が低下するので、非常用バッテリを冷却し適正な温度範囲に維持することが望ましい。このとき電子機器の冷却用としてすでに設置されている空調設備を有効に利用し冷却することが、簡便で経済的な方法と言える。
【０００４】
蒸気圧縮式冷凍サイクルからなる空調設備を用いて発熱体などを冷却する方法は、空調設備から送出される冷風で発熱体を冷却する方法と、空調設備の冷媒を伝熱管に導き、伝熱管に伝熱板を取り付け、この伝熱板を直接、発熱体に接触させ、発熱体を冷却させる方法とに大別することができる。後者の方法は、さらに高圧冷媒を利用する方法と低圧冷媒を利用する方法とに大別することができる。
【０００５】
空調設備の冷媒を伝熱管に導き、伝熱管に伝熱板を取り付け、この伝熱板を直接、発熱体に接触させ、発熱体を冷却させる方法は、冷却効率が高く、自動車などにおいて車載用バッテリを冷却する方法に多く見られる。
【０００６】
例えば、車載用の蒸気圧縮式冷凍サイクルからなる空調設備において、室内熱交換器に入る前の高圧冷媒を減圧弁で減圧し低温の低圧冷媒とし、車載用パワー素子などの高発熱体を冷却し、その後低圧冷媒は、室内熱交換器に送られ低圧冷媒の冷熱により車内を冷却し、さらに室内熱交換器から出た低圧冷媒の全量を用いて車載用モータ、車載電池などの低発熱体を冷却する技術が提案されている（例えば特許文献１参照）。
【０００７】
また車載用の蒸気圧縮式冷凍サイクルからなる空調設備において、室内熱交換器に入る前の高圧冷媒を分岐した後、減圧弁で減圧し低温の低圧冷媒とし、この低圧冷媒を用いて車載用バッテリを冷却する技術、また車載用バッテリの温度の制御方法として、車載用バッテリの温度を検知し、その信号により高圧冷媒の流量を制御する技術が提案されている（例えば特許文献２参照）。
【特許文献１】特開平１１−４８７６６号公報
【特許文献２】特開２００１−１０５８４３号公報
【発明の開示】
【発明が解決しようとする課題】
【０００８】
蒸気圧縮式冷凍サイクルからなる空調設備において、高圧冷媒を減圧弁で減圧すると低温の低圧冷媒が作られる。特許文献１に記載の技術のように、この低温の低圧冷媒を全量用いて高発熱体を冷却し、室内熱交換器の下流側の低圧冷媒を全量用いて低発熱体を冷却する方法は、冷媒を全量用いて冷却することから、冷媒が発熱体を冷却する能力は、空調設備の性能に左右される。一方、発熱体の温度は発熱量により変化するが、この発熱量に追従して温度を制御することはできない。
【０００９】
また、特許文献２に記載の技術のように、高圧冷媒を分岐し減圧して発熱体を冷却する方法は、室内熱交換器に入る冷媒を分岐させるため、空調設備の本来の機能である冷風発生等に大きな影響を及ぼす。また、高圧冷媒を分岐し減圧する必要があることから、減圧弁の仕様も高圧仕様となり金額的にも負担が大きい。上記のように、従来の空調設備を利用した冷却方法には種々の問題があり、無線基地局の非常用バッテリの冷却装置として信頼性の高い非常用バッテリ冷却装置が求められている。
【００１０】
本発明の目的は、空調設備を利用した非常用バッテリ冷却装置であって、空調設備の運転に大きな影響を与えることなく非常用バッテリを適切に冷却可能な非常用バッテリ冷却装置を提供することである。
【課題を解決するための手段】
【００１１】
請求項１に記載の本発明は、通信を行なうための電子機器と、電子機器に電力を供給する電源設備と、電子機器を冷却する、冷媒を圧縮する圧縮機、圧縮された高圧冷媒を冷却する室外熱交換器、該室外熱交換器の下流側の高圧冷媒を減圧し低圧冷媒にする減圧手段、該低圧冷媒から冷却用の冷熱を取り出す室内熱交換器を含む蒸気圧縮式冷凍サイクルからなる空調設備と、非常時の電力を供給する非常用バッテリと、が建屋内に収納された無線基地局の非常用バッテリ冷却装置であって、１面を非常用バッテリに密着させ該非常用バッテリを冷却する伝熱板と、該伝熱板の他面に配設され前記伝熱板を冷却する低圧冷媒が流れる伝熱管と、前記室内熱交換器と前記圧縮機との間に取り付けられた低圧冷媒管を分岐させ一部の低圧冷媒を前記伝熱管に供給する抜出し管と、前記伝熱管を出た低圧冷媒を前記低圧冷媒管の前記抜出し管が取り付けられた位置の下流に戻す戻り管と、を具備することを特徴とする非常用バッテリ冷却装置である。
【００１２】
請求項２に記載の本発明は、請求項１に記載の非常用バッテリ冷却装置において、前記伝熱管、前記抜出し管及び前記戻り管は一体的に形成された、前記室内熱交換器と前記圧縮機との間に取り付けられた低圧冷媒管のバイパス管であり、前記伝熱板は、１面を非常用バッテリに密着させると共に、他面を前記バイパス管に密着させることを特徴とする。
【００１３】
請求項３に記載の本発明は、請求項１又は請求項２に記載の非常用バッテリ冷却装置において、前記伝熱管又は前記バイパス管は、溶着又は接着テープで前記伝熱板に密着し、前記伝熱板は、前記非常用バッテリの底面、側面及び上面の少なくともいずれか１面に密着していることを特徴とする。
【００１４】
請求項４に記載の本発明は、請求項１から請求項３のいずれか１項に記載の非常用バッテリ冷却装置において、前記伝熱管、前記バイパス管、前記伝熱板及び前記接着テープは、伝熱性能が高いアルミニウム又は銅を主成分とする材料からなることを特徴とする。
【００１５】
請求項５に記載の本発明は、請求項１から請求項４のいずれか１項に記載の非常用バッテリ冷却装置において、さらに前記非常用バッテリの温度を検出する温度検出手段と、前記伝熱管又は前記バイパス管を流通する低圧冷媒の流量を調整する自動弁と、前記温度検出手段からの信号を取り込み、前記非常用バッテリの温度を所定の温度とするよう前記自動弁に弁開度信号を出力する制御装置と、を具備することを特徴とする。
【発明の効果】
【００１６】
本発明の非常用バッテリ冷却装置は、空調設備における室内熱交換器の下流側の低圧冷媒を分岐し非常用バッテリの冷却用として利用する。そのため、分岐した低圧冷媒の流量を空調設備と独立して制御することが可能で、空調設備の運転に大きな影響を与えることなく非常用バッテリを適正な温度範囲に保つことができる。
【００１７】
また本発明によれば、前記伝熱管、前記抜出し管及び前記戻り管は一体的に形成された、室内熱交換器と圧縮機との間に取り付けられた低圧冷媒管のバイパス管とし、前記伝熱板は、１面を非常用バッテリに密着させると共に、他面をバイパス管に密着させてもよい。このように本発明を構成することで、上記作用効果と同様の作用効果が得られると共に、これらにより本発明を多様に実施することが可能となる。
【００１８】
また本発明によれば、伝熱管又はバイパス管は、溶着又は接着テープで伝熱板に密着し、伝熱板は、非常用バッテリの底面、側面及び上面の少なくともいずれか１面に密着している。そのため、非常用バッテリから伝熱板、また伝熱板から伝熱管又はバイパス管へ熱が良好に伝達され、伝熱管又はバイパス管を流れる低圧冷媒により効果的に非常用バッテリが冷却される。
【００１９】
また本発明によれば、伝熱管、バイパス管、伝熱板及び接着テープは、伝熱性能が高いアルミニウム又は銅を主成分とする材料からなるので、伝熱管、バイパス管、伝熱板及び接着テープ自身の伝熱性能が高く低圧冷媒で効果的に非常用バッテリを冷却できる。
【００２０】
本発明によれば、非常用バッテリの温度制御は、温度検出手段で非常用バッテリの温度を検出し、制御装置はその信号を取り込み、自動弁の弁開度を調整し、非常用バッテリが設定温度となるように伝熱管又はバイパス管を流通する低圧冷媒の流量を調整する。これにより非常用バッテリをより適正な温度範囲に保つことができる。
【発明を実施するための最良の形態】
【００２１】
図１は、本発明の第１実施形態としての無線基地局の非常用バッテリ冷却装置１の概略的構成を示すプロセスフロー図である。図２は、非常用バッテリ冷却装置１を設置した無線基地局３０のレイアウトの一例を示す平面図である。
【００２２】
携帯電話等の移動体通信端末の無線基地局３０は、送受信信号を増幅する等により、電波の不感知領域を無くすことを主目的とした設備であって、建屋３３の外にアンテナ（図示を省略）、建屋３３内に通信を行なうための電子機器３１、電子機器３１に電力を供給する電源設備３２、電子機器３１を冷却する蒸気圧縮式冷凍サイクルからなる空調設備２０、及び非常用電源である非常用バッテリ２（２ａ、２ｂ、２ｃ、２ｄ、２ｅ、２ｆ）が収納されている。非常用バッテリ冷却装置１は、空調設備２０の低圧冷媒を利用して非常用バッテリ２を冷却する冷却装置であり、建屋３３内に設けられている。
【００２３】
非常用バッテリ２は、停電等の非常時に無線基地局３０の電子機器３１に電力を供給する非常用電源であって、鉛蓄電池が主に用いられており、停電時に瞬時に電力を供給できるように常に定電圧充電がおこなわれている。鉛蓄電池には、密閉型鉛蓄電池及び液式鉛蓄電池があるが、非常用バッテリ２は、密閉型鉛蓄電池を主に用いている。形状は、箱形で上面に正極及び負極の電極があり電槽はポリカーボネート等の樹脂製から作られている。非常用バッテリ２の一台当たりの電圧は２Ｖ又は１２Ｖで、直列につなぐことで２４Ｖ又は４８Ｖとし電子機器３１に送られ利用される。なお、図１では非常用バッテリ２の一部のみを示している。
【００２４】
空調設備２０は、無線基地局３０の電子機器３１を冷却する蒸気圧縮式冷凍サイクルからなる設備であって、冷媒を圧縮する圧縮機２１、圧縮された高圧冷媒を冷却する室外熱交換器２４、室外熱交換器２４の下流側の高圧冷媒を減圧し低圧冷媒にする減圧弁２３、電子機器３１を冷却するための冷熱を取り出す室内熱交換器２２からなる。
【００２５】
冷媒の流れで示すと、圧縮機２１で圧縮された低圧冷媒は、高温の高圧冷媒となり室外熱交換器２４に入る。室外熱交換器２４は、ファンが稼動しており、高温の高圧冷媒が外気と熱交換し冷却される。室外熱交換器２４を出た高圧冷媒は、高圧冷媒管２６を通り減圧弁２３に入り、減圧され低温の低圧冷媒になり室内熱交換器２２に入る。室内熱交換器２２は、ファンが稼動しており、低温の低圧冷媒と熱交換した室内の空気が冷風となり電子機器３１を冷却する。室内熱交換器２２を出た低圧冷媒は、低圧冷媒管２５を通り再び圧縮機２１に戻る。
【００２６】
非常用バッテリ冷却装置１を除き、上記構成からなる無線基地局３０は従来からある無線基地局と同一である。非常用バッテリ２は、充放電や過充電、また外気温度の上昇などにより、温度が上昇するが、高温になると腐食等により寿命が低下する。そのため、非常用バッテリ２を冷却し適正な温度範囲に維持すべく、非常用バッテリ冷却装置１は空調設備２０の低圧冷媒を利用して非常用バッテリ２を冷却する。
【００２７】
非常用バッテリ冷却装置１は、１面を非常用バッテリ２（２ａ、２ｂ、２ｃ、２ｄ、２ｅ、２ｆ）に密着させ非常用バッテリ２を冷却する伝熱板３（３ａ、３ｂ）、伝熱板３の裏面に配設され低圧冷媒が流れる抜出し管と接合した伝熱管４（４ａ、４ｂ）、室内熱交換器２２と圧縮機２１との間に取り付けられた低圧冷媒管２５を分岐し一部の低圧冷媒を抜き出す抜出し管５、伝熱管４を出た低圧冷媒を低圧冷媒管２５の抜出し管５が取り付けられた位置の下流に戻す戻り管６を備える。本実施形態では、非常用バッテリ２が３個づつ２箇所に配置された例を示しており、それぞれの非常用バッテリ２を冷却する伝熱管４ａと伝熱管４ｂとが連結管７で連結されている。抜出し管５には、伝熱管４ａに近い位置に電磁弁９、その電磁弁９の上流側に手動弁８、さらに抜出し管５入口部の低圧冷媒の温度を検出する温度計１４が装着されている。一方、戻り管６にも管路の途中に、上流側に電磁弁１１、下流側に手動弁１０が設けられている。電磁弁９、１１は、通電時開の型式の電磁弁である。電磁弁９、１１を通電時開の型式の電磁弁とすることで、トラブルが発生し停電したときには弁が閉じ、低圧冷媒の流通が停止するので、非常用バッテリ冷却装置１の安全を確保しやすい。
【００２８】
非常用バッテリ冷却装置１の冷媒の流れは次の通りである。空調設備２０の室内熱交換器２２を出た数℃〜２０℃程度の低圧冷媒の一部が低圧冷媒管２５から分岐された抜出し管５を通り伝熱管４ａに入る。伝熱管４ａ内を流れる低圧冷媒は伝熱板３ａを介して非常用バッテリ２ａ、２ｂ、２ｃの熱を吸収し冷却する。伝熱管４ａを出た低圧冷媒は、連結管７から下流側の伝熱管４ｂに入り、伝熱板３ｂを介して非常用バッテリ２ｄ、２ｅ、２ｆの熱を吸収し冷却する。熱を吸収した低圧冷媒は戻り管６を通り、抜出し管５の下流の低圧冷媒管２５に戻される。
【００２９】
非常用バッテリ冷却装置１は空調設備２０の低圧冷媒を一部分岐させ、この低圧冷媒を用いて非常用バッテリ２を冷却するので、空調設備２０の室内熱交換器２２下流側の低圧冷媒は、室内熱交換器２２と圧縮機２１とを連絡する本来の低圧冷媒管２５を流通すると共に、非常用バッテリ２を冷却するための抜出し管５、伝熱管４、連結管７及び戻り管６を流通する必要がある。このため抜出し管５、伝熱管４、連絡管７及び戻り管６の管径、長さ、さらには抜出し管５に介装された手動弁８、電磁弁９、戻り管６に介装された手動弁１０、電磁弁１１の弁の型式、Ｃｖ値等は、所定量の低圧冷媒が流通するように、冷媒の種類、圧力損失を考慮し適宜決める必要がある。なお、必要に応じて抜出し管５側への低圧冷媒の流量を調整すべく、抜出し管５と戻り管６との間の低圧冷媒管２５に弁を設けてもよい。
【００３０】
図３は、非常用バッテリ２の底面を冷却する伝熱管４及び伝熱板３を含む部分断面図である。図４は、伝熱板３に接着テープ１５を用いて伝熱管４を密着させた部分断面図である。
【００３１】
図３は、伝熱板３の上面に非常用バッテリ２を載せた様子を示しており、非常用バッテリ２の自重により伝熱板３に密着する。伝熱板３の下面には、伝熱管４が溶着又は図４に示すように接着テープ１５で伝熱板３に密着し取り付けられている。また、外部からの熱の進入を遮断し非常用バッテリ２の熱を効果的に伝熱管４に伝えるために、伝熱管４の周囲を断熱材１６で覆っている。そのため、非常用バッテリ２の熱は、伝熱管４内を流れる低圧冷媒に効率よく伝えられ、非常用バッテリ２の冷却が効率的に達成される。
【００３２】
非常用バッテリ２の側面又は上面を冷却する場合は、図３に示す伝熱板３を非常用バッテリ２の側面又は上面に押しあて密着させることで非常用バッテリ２の側面又は上面からも冷却することができる。伝熱板３を非常用バッテリ２の側面又は上面に押しあて密着させる方法は特に限定されないけれども、非常用バッテリ２を棚（図示を省略）に設置し使用するような場合であって、非常用バッテリ２を棚に固定する固定押さえ込み板（図示を省略）が用いられている場合には、非常用バッテリ２の側面又は上面に伝熱板３を設置し、その上から固定押さえ込み板（図示を省略）で伝熱板３を押さえ込むように非常用バッテリ２を固定することで簡単に伝熱板３を非常用バッテリ２の側面又は上面に押しあて密着させることができる。非常用バッテリ２の底面を冷却すると同時に側面又は上面を、さらには非常用バッテリ２の底面、側面及び上面を同時に冷却することで、さらに効率よく非常用バッテリ２を冷却することができる。
【００３３】
図５は隣接する非常用バッテリ２間に配設し両側面を冷却する伝熱管４及び伝熱板３を含む部分断面図である。図５は、２枚の伝熱板３の間に伝熱管４が溶着又は図４に示すように接着テープ１５により密着しており、伝熱管４は断熱材１６で覆われ外部への放熱を防止した構成である。そのため、伝熱板３を隣接する２台の非常用バッテリ２間に密着させることで２台の非常用バッテリ２の側面を効果的に冷却できる。
【００３４】
伝熱管４、伝熱板３及び接着テープ１５は、伝熱性能が高いアルミニウム又は銅を主成分とする材料からなることが好ましい。このような材料からなる伝熱管４、伝熱板３及び接着テープ１５を使用すれば、熱が伝熱管４、伝熱板３及び接着テープ１５の内部を移動する速度が速く、高い伝熱性能が達成され、この点からも非常用バッテリ２を効率良く冷却することができる。伝熱板３に溶着又接着テープ１５で固定する伝熱管４は、必ずしも直線形状である必要はなく、伝熱面積（接触面積）を広くし冷却能力を上げる目的でＵ字形状等としてもよいことは言うまでもない。
【００３５】
上記実施形態では、非常用バッテリ２が２箇所に配置され、それぞれの非常用バッテリ２を冷却する伝熱管４ａと伝熱管４ｂとを連結管７で連結する例を示したけれども、非常用バッテリ２が一箇所に配置されているような場合には、連結管は必要ない。また、抜出し管５、伝熱管４、連結管７及び戻り管６を連続した一本の管で形成し、これを室内熱交換器２２と圧縮機２１とを連絡する低圧冷媒管２５のバイパス管とし、このバイパス管に伝熱板３の一面を密着させるようにしてもよい。このようにすることで、安価にまた容易に実施することができる。
【００３６】
また、非常用バッテリ２を冷却する伝熱管４は、必要に応じて複数本並列に設けてもよい。無線基地局３０では複数の非常用バッテリ２を複数の棚に設置し使用する場合がある。このような場合には棚ごとに伝熱板３が取り付けられた伝熱管４が必要である。また非常用バッテリ２の底面、側面又は上面を同時に冷却する場合は、それぞれに伝熱板３が取り付けられた伝熱管４が必要になる。このような場合には、抜出し管５及び戻り管６を複数本設けるか、抜出し管５の下流側及び戻り管６の上流側を複数に分岐し、それぞれを伝熱管４と接続すればよい。
【００３７】
また非常用バッテリ冷却装置１は、非常用バッテリ２の温度を検出する温度計１３、温度計１３で検出された温度の信号を取り込み、非常用バッテリ２の温度が適正な範囲になるよう電磁弁９に開閉信号を出力する制御装置１２を備える。また抜出し管５の入口部には流通する低圧冷媒の温度を検出する温度計１４が備えられ、制御装置１２は、温度計１４からの信号に基づき、必要に応じて電磁弁９、１１を閉じるように制御する。なお、電磁弁９、１１は、全開、全閉のみ可能な弁である。
【００３８】
非常用バッテリ２は、２０℃から３０℃程度の範囲とすることが好ましく、２５℃程度の温度に維持することができればより好ましい。本実施形態に示す非常用バッテリ冷却装置１では、次の要領で非常用バッテリ２の温度制御を行なう。
【００３９】
非常用バッテリ２の温度制御は、伝熱管４を流通する低圧冷媒の流量を制御することで行なう。制御装置１２は、非常用バッテリ２ａの表面温度を検出する温度計１３からの信号を取り込み、非常用バッテリ２ａの表面温度が設定温度となるように電磁弁９を開閉するように制御する。非常用バッテリ２ａの表面温度が上昇し所定の温度に達すると電磁弁９を開け、非常用バッテリ２を冷却し、非常用バッテリ２ａの表面温度が低下し所定の温度に達すると電磁弁９を閉じ、非常用バッテリ２の冷却を中止する。このように本発明において、伝熱管４を流通する低圧冷媒の流量を調整するとは、流量ゼロを含む。ここでは伝熱管４を流通する低圧冷媒の流量を調整する弁として電磁弁を使用しているため、制御装置１２は、電磁弁９を開閉する制御信号を発するが、低圧冷媒の流量を調整する弁として弁開度を任意の開度に調整可能な公知の流量制御弁を使用し、弁開度を中間開度となるに制御してもよいことは当然である。制御用の温度は、本実施形態に示すようにあらかじめ計測して温度が高くなる非常用バッテリ２ａの表面温度とする他、温度計１３を複数台の非常用バッテリ２の側壁に取り付け、制御装置１２で比較演算し選定した最も温度の高い非常用バッテリ２の温度を制御用温度としてもよい。
【００４０】
また制御装置１２は、温度計１４を介して抜出し管５の入口部の低圧冷媒の温度が所定の温度となったことを検出すると、電磁弁９、１１を閉じるように制御する。空調設備２０のトラブル発生や誤操作による暖房運転が行なわれると低圧冷媒管２５を流通する低圧冷媒の温度が異常に上昇するため、非常用バッテリ２の安全を確保すべく電磁弁９、１１を閉じ、空調設備２０と非常用バッテリ冷却装置１とを完全に切り離す。このように非常用バッテリ冷却装置１を構成することで、非常用バッテリ冷却装置としての信頼性がより高まる。空調設備２０を暖房モードとすると、空調設備２０は冷房モードと逆サイクルとなるため、戻り管６の下流側（低圧冷媒管２５側）に冷媒温度を検出する温度計を設けることで誤操作による暖房運転をより早く検出することが可能となり、より好ましい。なお、空調設備２０が誤って暖房モードとされ、一時的に温度の高い冷媒が伝熱管４を流れたとしても、熱伝導性を考えれば直ちに非常用バッテリ２の温度が上昇することはないので、抜出し管５に装着された温度計１４で十分に対応可能である。上記のような制御装置１２としては、公知の温度調節器、プログラマブルロジックコントローラ、コンピュータなどが例示される。
【００４１】
また非常用バッテリ冷却装置１は、抜出し管５に手動弁８及び戻り管６に手動弁１０を有するので、伝熱管４を流通する低圧冷媒の流量調整が容易となると共に、電磁弁９にトラブルが発生したような場合に、非常用バッテリ冷却装置１と空調設備２０とを完全に切り離すことが可能となり、非常用バッテリ冷却装置１の状況に関係なく空調設備２０の運転を継続することができる。
【００４２】
上記実施形態では、温度計１３、電磁弁９からなる自動弁及び制御装置１２を用いて非常用バッテリ２を所定の温度に制御する例を示したけれども、使用する環境によっては自動弁及び制御装置１２などは必ずしも必要ではなく、非常用バッテリ２の置かれた環境、特に雰囲気温度、非常用バッテリ２の冷却温度範囲に応じて、適宜選択することができる。例えば、非常用バッテリ２の温度を機器のメンテナンス時に計測し、手動弁８を調整し、非常用バッテリ２を所定の温度範囲に維持させてもよい。さらには、温度変化の少ない環境下にある非常用バッテリ２にあっては、常時、一定流量の低圧冷媒を流通させることで対応することも可能なので、このような場合にあっては、自動弁はもちろん、手動弁８、１０も設けなくてもよい。
【００４３】
また抜出し管５の下流側及び戻り管６の上流側を複数に分岐し、それぞれに伝熱板３が取り付けられた伝熱管４を設置し非常用バッテリ２を冷却する場合は、分岐する前の抜出し管５又は集合した後の戻り管６に自動弁を取り付け、一番温度の高い非常用バッテリ２の温度を代表温度として非常用バッテリ２の温度制御を行なえばよい。なお、分岐した抜出し管５又は戻り管６にそれぞれ自動弁を取り付け、それぞれの伝熱管４の低圧冷媒の流量を制御し、非常用バッテリ２の温度制御を行なってもよいことは言うまでもない。
【００４４】
上記実施形態で示すように、本発明に係る非常用バッテリ冷却装置は、室内熱交換器の下流側の低圧冷媒を分岐し非常用バッテリの冷却用として利用するため、非常用バッテリを容易に適正な温度に制御することが可能である。これにより非常用バッテリの寿命が伸び、非常用バッテリの購入費用の低減、非常用バッテリの交換作業の低減を図ることができる。
【００４５】
また、本発明に係る非常用バッテリ冷却装置は、室内熱交換器の下流側の低圧冷媒を分岐し非常用バッテリの冷却用として利用するため、分岐した低圧冷媒の流量を空調設備と独立して制御することが可能となり、空調設備に殆ど影響を与えることがない。また既設の空調設備を利用して非常用バッテリを冷却することができるので、簡単にまた安価に適用することができる。
【００４６】
また、非常用バッテリの温度が極端に低下すると、非常用バッテリの種類によっては不都合が生じるが、室内熱交換器で冷熱が取り出された後の低圧冷媒温度は、比較的温度が高いので、非常用バッテリの温度が極端に低下することはない。
【図面の簡単な説明】
【００４７】
【図１】本発明の第１実施形態としての無線基地局の非常用バッテリ冷却装置１の概略的構成を示すプロセスフロー図である。
【図２】図１の非常用バッテリ冷却装置１を設置した無線基地局３０のレイアウトの一例を示す平面図である。
【図３】図１の非常用バッテリ冷却装置１の一部を構成する伝熱管４及び伝熱板３で非常用バッテリ２の底面を冷却する状態を示す部分断面図である。
【図４】図１の非常用バッテリ冷却装置１の一部を構成する伝熱板３に接着テープ１５を用いて伝熱管４を密着させた状態を示す部分断面図である。
【図５】図１の非常用バッテリ冷却装置１の一部を構成する、隣接する非常用バッテリ２間に配設し両側面を冷却する伝熱管４及び伝熱板３の部分断面図である。
【符号の説明】
【００４８】
１    非常用バッテリ冷却装置
２    非常用バッテリ
３    伝熱板
４    伝熱管
５    抜出し管
６    戻り管
７    連結管
８    手動弁
９    電磁弁
１０  手動弁
１１  電磁弁
１２  制御装置
１３  温度計
１４  温度計
１５  接着テープ
１６  断熱材
２０  空調設備
２１  圧縮機
２２  室内熱交換器
２３  減圧弁
２４  室外熱交換器
２５  低圧冷媒管
２６  高圧冷媒管
３０  無線基地局
３１  電子機器
３２  電源設備
３３  建屋
【図１】
2010089555.tif 000003
【図２】
2010089555.tif 000004
【図３】
2010089555.tif 000005
【図４】
2010089555.tif 000006
【図５】
2010089555.tif 000007